(57)【要約】【課題】電線が細径化され、且つ、電線の本数が増大しても、電線の保持力を向上可能なカバーを有するコネクタ、及び、カバーを提供すること。【解決手段】コネクタ１は、複数の電線Ｗに接続された複数の端子１０と、複数の端子１０を収容する複数の端子収容部を有する板状のハウジング２０であって、複数の端子収容部の少なくとも一部の上方が開放されたハウジング２０と、ハウジング２０に組み付けられて、複数の端子収容部の少なくとも一部の上方を塞ぐカバー３０と、を備える。カバー３０，３０Ｂの後方側端部には、ハウジング２０から後方側に延出する複数の電線Ｗを束ねて保持するための電線保持部３８が設けられる。電線保持部３８における電線Ｗと接触する接触面３８ａ〜３８ｃには、電線Ｗが延びる方向と交差する方向に沿って突条３９が複数形成されている。【選択図】図３８
2020087674.tif 000002
【特許請求の範囲】
【請求項１】
複数の電線に接続された複数の端子と、
複数の前記端子を収容する複数の端子収容部を有する板状のハウジングであって、複数の前記端子収容部の少なくとも一部の上方が開放されたハウジングと、
前記ハウジングに組み付けられて、複数の前記端子収容部の前記少なくとも一部の上方を塞ぐカバーと、
を備え、
前記カバーの後方側端部には、前記ハウジングから後方側に延出する前記複数の電線を束ねて保持するための電線保持部が設けられ、
前記電線保持部における前記電線と接触する接触面には、前記電線が延びる方向と交差する方向に沿って突条が複数形成された、コネクタ。
【請求項２】
請求項１に記載のコネクタにおいて、
前記電線保持部の前記接触面は、前記端子収容部の延在方向に対して傾斜している、コネクタ。
【請求項３】
複数の電線に接続された複数の端子を収容すると共に少なくとも一部の上方が開放された複数の端子収容部を有する板状のハウジングに組み付けられて、上方が開放された前記端子収容部の少なくとも一部を塞ぐ、カバーであって、
前記カバーの後方側端部には、前記ハウジングから後方側に延出する前記複数の電線を束ねて保持するための電線保持部が設けられ、
前記電線保持部における前記電線と接触する接触面には、前記電線が延びる方向と交差する方向に沿って突条が複数形成された、カバー。
【発明の詳細な説明】
【技術分野】
【０００１】
本発明は、コネクタ、及び、カバーに関する。
【背景技術】
【０００２】
従来から、複数の電線に接続された複数の端子と、複数の端子を収容する複数の端子収容部を有するハウジングと、を備えたコネクタにおいて、ハウジングから後方側に延出する複数の電線を覆うためのカバーを設けたものが広く知られている（例えば、特許文献１を参照）。この文献に記載のカバーでは、電線を挟持することで、電線の保持力を向上させている。
【先行技術文献】
【特許文献】
【０００３】
【特許文献１】特開平９−２４５８５１号公報
【発明の概要】
【発明が解決しようとする課題】
【０００４】
近年、コネクタの小型化の要求に伴い、端子が小型化され、電線も細径化してきている。電線が細径化され、且つ、電線の本数が増大した場合、この文献に記載のカバーでは、全ての電線について電線の保持力を向上させることが困難となる。
【０００５】
本発明は、上述した事情に鑑みてなされたものであり、その目的は、電線が細径化され、且つ、電線の本数が増大しても、電線の保持力を向上可能なカバーを有するコネクタ、及び、カバーを提供することにある。
【課題を解決するための手段】
【０００６】
前述した目的を達成するために、本発明に係るコネクタ、及び、カバーは、下記（１）〜（３）を特徴としている。
（１）
複数の電線に接続された複数の端子と、
複数の前記端子を収容する複数の端子収容部を有する板状のハウジングであって、複数の前記端子収容部の少なくとも一部の上方が開放されたハウジングと、
前記ハウジングに組み付けられて、複数の前記端子収容部の前記少なくとも一部の上方を塞ぐカバーと、
を備え、
前記カバーの後方側端部には、前記ハウジングから後方側に延出する前記複数の電線を束ねて保持するための電線保持部が設けられ、
前記電線保持部における前記電線と接触する接触面には、前記電線が延びる方向と交差する方向に沿って突条が複数形成された、コネクタであること。
（２）
上記（１）に記載のコネクタにおいて、
前記電線保持部の前記接触面は、前記端子収容部の延在方向に対して傾斜している、コネクタであること。
（３）
複数の電線に接続された複数の端子を収容すると共に少なくとも一部の上方が開放された複数の端子収容部を有する板状のハウジングに組み付けられて、上方が開放された前記端子収容部の少なくとも一部を塞ぐ、カバーであって、
前記カバーの後方側端部には、前記ハウジングから後方側に延出する前記複数の電線を束ねて保持するための電線保持部が設けられ、
前記電線保持部における前記電線と接触する接触面には、前記電線が延びる方向と交差する方向に沿って突条が複数形成された、カバーであること。
【０００７】
上記（１）の構成のコネクタによれば、電線保持部に複数の電線を束ねて保持する際、電線保持部の接触面に接触している電線の被覆が当該接触面に形成された複数の突条に食い込む。これにより、電線が細径化され、且つ、電線の本数が増大したとしても、電線保持部の電線保持力を向上させることができる。
【０００８】
更に、複数の突条が電線の延在方向と交差する方向に沿って設けられているので、外力等によって電線が延在方向に引っ張られた場合においても、電線の電線保持部に対する相対移動を極力抑制できる。
【０００９】
上記（２）の構成のコネクタによれば、外力等によって電線が延在方向に引っ張られた場合、その引っ張り力の一部が電線を電線保持部の接触面に押し付ける力として作用する。この結果、電線の被覆を複数の突条により一層食い込ませることができ、電線の電線保持部に対する相対移動を更に一層抑制できる。
【００１０】
上記（３）の構成のカバーによれば、電線保持部に複数の電線を束ねて保持する際、電線保持部の接触面に接触している電線の被覆が当該接触面に形成された複数の突条に食い込む。これにより、電線が細径化され、且つ、電線の本数が増大したとしても、電線保持部の電線保持力を向上させることができる。
【００１１】
更に、複数の突条が電線の延在方向と交差する方向に沿って設けられているので、外力等によって電線が延在方向に引っ張られた場合においても、電線の電線保持部に対する相対移動を極力抑制できる。
【発明の効果】
【００１２】
本発明によれば、電線が細径化され、且つ、電線の本数が増大しても、電線の保持力を向上可能なカバーを有するコネクタ、及び、カバーを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本実施形態に係るコネクタの斜視図である。
【図２】図２は、図１に示すコネクタの分解斜視図である。
【図３】図３は、図２に示す第１の端子の斜視図である。
【図４】図４は、図２に示す第２の端子の斜視図である。
【図５】図５は、第２の端子の作製に供される板状金属部材である。
【図６】図６は、図２に示すハウジングの斜視図である。
【図７】図７は、ハウジングの正面図である。
【図８】図８は、図７のＡ−Ａ線の断面図である。
【図９】図９は、ハウジングを後方側からみた斜視図である。
【図１０】図１０は、図９の枠内を拡大した図である。
【図１１】図１１は、端子が１次係止位置にあるハウジングにおける、図８に対応する断面図である。
【図１２】図１２は、図１１の枠内を拡大した図である。
【図１３】図１３は、図２に示す上カバーの斜視図である。
【図１４】図１４は、裏返した上カバーの斜視図である。
【図１５】図１５は、図１４の枠内を拡大した図である。
【図１６】図１６は、図２に示す下カバーの斜視図である。
【図１７】図１７は、裏返した下カバーの斜視図である。
【図１８】図１８は、図１６の枠内を拡大した図である。
【図１９】図１９は、図１に示すコネクタの正面図である。
【図２０】図２０は、図１９のＢ−Ｂ線の断面図である。
【図２１】図２１は、図２０の枠内を拡大した図である。
【図２２】図２２は、下カバー側における、図２１に対応する図である。
【図２３】図２３は、コネクタの組み付け手順を説明するための第１の図である。
【図２４】図２４は、コネクタの組み付け手順を説明するための第２の図である。
【図２５】図２５は、コネクタの組み付け手順を説明するための第３の図である。
【図２６】図２６は、コネクタの組み付け手順を説明するための第４の図である。
【図２７】図２７は、コネクタの組み付け手順を説明するための第５の図である。
【図２８】図２８は、コネクタの組み付け手順を説明するための第６の図である。
【図２９】図２９は、コネクタの組み付け手順を説明するための第７の図である。
【図３０】図３０は、コネクタの組み付け手順を説明するための第８の図である。
【図３１】図３１は、端子が中途挿入位置にあるハウジングにおける、図８に対応する断面図である。
【図３２】図３２は、図３１の枠内を拡大した図である。
【図３３】図３３は、図３０に示す組み付け段階を詳細に説明するための第１の図である。
【図３４】図３４は、図３０に示す組み付け段階を詳細に説明するための第２の図である。
【図３５】図３５は、図３０に示す組み付け段階を詳細に説明するための第３の図である。
【図３６】図３６は、電線保持部を一体に備えた下カバーの側面図である。
【図３７】図３７は、図３６の枠内を拡大した図である。
【図３８】図３８は、電線保持部の斜視図である。
【図３９】図３９は、電線保持部の接触面に接触している電線の被覆が当該接触面に形成された複数の突条に食い込む様子を示した図である。
【図４０】図４０は、電線保持部の変形例における、図３７に対応する図である。
【図４１】図４１は、本実施形態の変形例に係るコネクタの分解斜視図である。
【図４２】図４２は、本実施形態の他の変形例に係るコネクタの分解斜視図である。
【発明を実施するための形態】
【００１５】
＜実施形態＞
以下、図面を参照しながら、本発明の実施形態に係るコネクタ１について説明する。以下、説明の便宜上、コネクタ１の軸方向（嵌合方向）において、相手側端子（図示省略）が嵌合する側（図１において左側）を前方側とし、その反対側（図１において右側）を後方側と呼ぶ。また、図１において上側及び下側をそれぞれ、上側及び下側と呼ぶ。
【００１６】
図２に示すように、コネクタ１は、端子１０と、ハウジング２０と、カバー３０と、を含んで構成される。以下、コネクタ１を構成する各部品について順に説明していく。
【００１７】
先ず、図３〜図５を参照しながら、端子１０について説明する。端子１０として、本例では、図３に示す端子１０Ａと、図４に示す端子１０Ｂと、が使用される。端子１０Ａ，１０Ｂは共に、板状金属部材にプレス加工・曲げ加工等を施すことで形成された雌端子であり、相手側端子（雄端子、図示省略）が嵌合する接続部１１と、接続部１１の後方側に連続し電線Ｗの導体芯線を固定する導体固定部１２と、導体固定部１２の後方側に連続し電線の被覆を固定する被覆固定部１３と、を備える。
【００１８】
端子１０Ａ，１０Ｂの接続部１１は、角筒状の形状を有しており、その上面の幅方向一側の前後方向両端部には、上方に突出する一対の突出部１４が形成されている。一対の突出部１４のうち特に前方側の突出部１４は、後述するように、ハウジング２０のランス２６（図８参照）と係合して、端子１０Ａ，１０Ｂの抜け止め機能を果たす。
【００１９】
端子１０Ａの導体固定部１２には、図３に示すように、一対の圧接刃１５が形成されている。これらの圧接刃１５に電線Ｗの導体芯線を圧接することで、導体芯線が導体固定部１２に固定されると共に電気的に接続される。一方、端子１０Ｂの導体固定部１２には、図４に示すように、一対の加締め片１５が形成されている。これらの加締め片１５により電線の導体芯線を圧着することで、導体芯線が導体固定部１２に固定されると共に電気的に接続される。端子１０Ａ，１０Ｂの被覆固定部１３には、一対の加締め片１６が形成されている。これらの加締め片１６により電線の被覆を圧着することで、電線が被覆固定部１３に固定される。
【００２０】
端子１０Ｂは、図５に示す板状金属部材にプレス加工・曲げ加工等を施すことで形成されている。図５において、接続部１１は、模式的に示している（破線部）。図５から理解できるように、端子１０Ｂの導体固定部１２には、板厚方向に貫通する複数の貫通孔１７が形成されている。このように貫通孔１７を設けることで、導体固定部１２に導体芯線を圧着した場合に、圧着時の圧力で、導体芯線が、各貫通孔１７に入り込んで貫通孔１７の内壁面に密着し得る。この結果、導体芯線が導体固定部１２に強固に固定され得る。更に、導体芯線と導体固定部１２との接触面積が増大するので、両者間の接触抵抗が小さくなる。
【００２１】
次に、図６〜図１２を参照しながら、ハウジング２０について説明する。特に、図６及び図９に示すように、ハウジング２０は、矩形平板状のハウジング本体２１を備える。ハウジング本体２１の上下面それぞれには、複数の端子１０を収容するための複数の端子収容部が形成されている。ハウジング本体２１の上面側及び下面側の構成は、若干の相違はあるものの、大略的には同様であるので、以下、ハウジング本体２１の上面側の構成についてのみ説明する。
【００２２】
ハウジング本体２１の上面には、幅方向に間隔を空けて前後方向に延びる複数の立壁２２が一体に形成されている。各立壁２２は、幅方向に隣接する２つの端子収容部を仕切る機能を果たす。即ち、ハウジング本体２１の上面には、複数の立壁２２により仕切られた複数の端子収容部が幅方向に並ぶように形成されている。
【００２３】
ハウジング本体２１の前方側部分には、端子収容部の上方を塞ぐように天壁部２３が一体に形成されている。即ち、端子収容部の前方側部分は、天壁部２３により上方が塞がれた筒状の形状を有し、端子収容部の後方側部分は、その上方が開放されている。各端子収容部の前方側端には開口２４が形成されている（図６〜図８参照）。この開口２４を介して、相手側端子（雄端子）がハウジング本体２１の端子収容部に挿入されることになる。
【００２４】
図８に示すように、天壁部２３の後端縁には、後方且つ下方を向くように傾斜するテーパ面２５が形成されている。テーパ面２５は、後述するように、ハウジング２０に上カバー３０Ａを組み付ける際に利用されることになる（図２１参照）。天壁部２３の前後方向中央部の下面には、各端子収容部内に向けて下方に突出するランス２６が一体に形成されている。
【００２５】
上述のように、ハウジング本体２１では、各端子収容部の後方側部分の上方が開放されている。このため、端子１０を把持しながら、図９及び図１０に示すように、端子１０を端子収容部の後方側部分に載置して前方を押し込むことで、端子１０を、端子収容部の前方側部分（筒状の部分）における正規挿入位置近傍の１次係止位置（中途挿入位置）まで容易に挿入することができる（図１１及び図１２参照）。
【００２６】
端子１０が、図１１及び図１２に示す１次係止位置まで挿入される過程において、ランス２６は、端子１０の前方側の突出部１４に当接することで弾性変形を伴いながら当該突出部１４に乗り上げ、その後、当該突出部１４が通り過ぎることで、初期位置に弾性復帰する。この結果、図１２に示すように、当該突出部１４がランス２６と係合することで、端子１０のハウジング２０からの抜け止め機能が発揮される。
【００２７】
次に、図１３〜図２２を参照しながら、カバー３０について説明する。カバー３０として、本例では、上カバー３０Ａと、下カバー３０Ｂが使用される（図２参照）。上カバー３０Ａは、ハウジング本体２１の上面側に組み付けられて、上面側の端子収容部の後方側部分の上方を塞ぐ機能を有し、下カバー３０Ｂは、ハウジング本体２１の下面側に組み付けられて、下面側の端子収容部の後方側部分の下方を塞ぐ機能を有する。
【００２８】
先ず、図１３〜図１５を参照しながら、上カバー３０Ａについて説明する。図１３は、ハウジング本体２１への組み付け時の向きの上カバー３０Ａを示し、図１４は、裏返した上カバー３０Ａを示す。
【００２９】
上カバー３０Ａは、平板状のカバー本体３１を備える。カバー本体３１の前方側部分の下面には、ハウジング本体２１の立壁２２に対応して、幅方向に間隔を空けて前後方向に延びる複数の立壁３２が一体に形成されている。これにより、上カバー３０Ａのハウジング２０への組み付け状態では、ハウジング本体２１の端子収容部の後方側部分の上方が上カバー３０Ａにより塞がれて、端子収容部の前方側部分及び後方側部分において、前後方向に連続する筒状の形状を有する端子収容部が構成される。
【００３０】
上カバー３０Ａのカバー本体３１の前端縁には、前方且つ上方を向くように傾斜するテーパ面３３が形成されている。テーパ面３３は、後述するように、ハウジング２０に上カバー３０Ａを組み付ける際に利用されることになる（図２１参照）。
【００３１】
上カバー３０Ａのカバー本体３１の前端部の下面には、図１５に示すように、下方に突出する複数の突起部３４が、幅方向における複数の端子収容部の位置（隣接する立壁３２の間の位置）に一体で形成されている。突起部３４は、後述するように、上カバー３０Ａのハウジング２０への組み付け時、１次係止位置にある端子１０を前方へ押圧して端子１０を正規挿入位置まで移動させる機能を有する。
【００３２】
上カバー３０Ａのカバー本体３１の後方側部分は、上カバー３０Ａのハウジング２０への組み付け状態では、ハウジング２０の後端面から後方側へ突出することになる。カバー本体３１の後方側部分３７は、下カバー３０Ｂのカバー本体３１の後方側部分３７（図１６及び図１７参照）との協働により、複数の端子収容部に収容された複数の端子１０から後方側に延びる複数の電線Ｗを収容して保護する所謂コネクタカバーとして機能する。
【００３３】
上カバー３０Ａのカバー本体３１の幅方向両端部の複数箇所（本例では、４箇所）には、ハウジング２０への組み付け時において、下カバー３０Ｂの係合部３６（図１６及び図１７参照）とそれぞれ係合する係合部３５が一体で形成されている（図２０参照）。
【００３４】
次に、図１６〜図１８を参照しながら、下カバー３０Ｂについて説明する。図１６は、ハウジング本体２１への組み付け時の向きの下カバー３０Ｂを示し、図１７は、裏返した下カバー３０Ｂを示す。上カバー３０Ａ及び下カバー３０Ｂの構成は、上下方向に対称であることを除き、若干の相違はあるものの、大略的には同様である。従って、下カバー３０Ｂについては、上カバー３０Ａの各構成に対応する構成に対して上カバー３０Ａと同じ符号を付すことで、それらの説明に代える。
【００３５】
なお、下カバー３０Ｂについては、図１６及び図１７に示すように、コネクタカバーとして機能する後方側部分３７の更に後方側（後方側端部）に、電線保持部３８が一体で形成されている。電線保持部３８は、ハウジング２０から後方側に延びる複数の電線Ｗを束ねて保持するために使用される部位である。ハウジング２０から後方側に延びる複数の電線Ｗは、タイバンド等を利用して束ねた状態で電線保持部３８に保持されることになる。なお、電線保持部３８については、後に詳述する。
【００３６】
図１９〜図２２に示すように、上カバー３０Ａ及び下カバー３０Ｂがハウジング２０に組み付けられた状態では、上カバー３０Ａの前端縁のテーパ面３３がハウジング２０の上面側の天壁部２３の後端縁のテーパ面２５の下側に進入した状態で、上カバー３０Ａの前端縁とハウジング２０の上面側の天壁部２３の後端縁とが係止されている（図２１参照）。下カバー３０Ｂの前端縁のテーパ面３３がハウジング２０の下面側の天壁部２３の後端縁のテーパ面２５の上側に進入した状態で、下カバー３０Ｂの前端縁とハウジング２０の下面側の天壁部２３の後端縁とが係止されている（図２２参照）。更に、上カバー３０Ａの複数の係合部３５と下カバー３０Ｂの複数の係合部３６とが互いに係止されている（図２０参照）。これらの協働により、上カバー３０Ａ及び下カバー３０Ｂそれぞれがハウジング２０に対して相対移動不能に組み付けられ、且つ、上カバー３０Ａ及び下カバー３０Ｂ同士も相対移動不能に組み付けられる。
【００３７】
次に、図２３〜図３５を参照しながら、コネクタ１の組み付け手順について説明する。先ず、図２３に示すように、裏返した状態にあるハウジング２０の上面側（正規の向きでは下面側）の所定の端子収容部における上方が開放された後方側部分に、所定の装置を利用して、端子１０Ａをそれぞれ配置し、上述した図１１及び図１２に示した１次係止位置まで端子１０Ａの所定箇所（典型的には、角筒状の接続部１１の後端面）を前方に押し込む。これにより、端子１０Ａの突出部１４がハウジング２０のランス２６と係合することで、端子収容部に挿入された端子１０Ａのハウジング２０からの抜けが防止される状態が得られる。
【００３８】
次に、図２４に示すように、所定の装置を利用して、端子収容部に挿入された各端子１０Ａに電線Ｗをそれぞれ接続する。具体的には、端子１０Ａの一対の圧接刃１５に電線Ｗの導体芯線が圧接され、端子１０Ａの一対の加締め片１６により電線Ｗの被覆が圧着される。
【００３９】
次に、図２５に示すように、ハウジング２０を裏返す。これにより、ハウジング２０の向きが正規の向きとなる。この状態で、上述した図２３及び図２４に示した手順と同様、図２６及び図２７に示すように、ハウジング２０の上面側の所定の端子収容部に、端子１０Ａを１次係止位置までそれぞれ挿入し、挿入された各端子１０Ａに電線Ｗをそれぞれ接続する。
【００４０】
次に、図２８に示すように、未だ端子１０Ａが挿入されていないハウジング２０の上面側又は下面側の所定の端子収容部に、電線Ｗが予め接続された状態にある端子１０Ｂを、所定の装置を利用して、１次係止位置までそれぞれ挿入する。なお、この作業は、作業者による手作業で行われてもよい。
【００４１】
次に、図２９に示すように、下カバー３０Ｂをハウジング２０に組み付け、次いで、図３０に示すように、上カバー３０Ａをハウジング２０に組み付ける。上カバー３０Ａ及び下カバー３０Ｂのハウジング２０への組み付け手順は、上下方向に対称であることを除き、大略的には同様である。従って、以下、図３１〜図３５を参照しながら、上カバー３０Ａのハウジング２０への組み付け手順のみについて説明する。
【００４２】
図３１及び図３２に示すように、端子収容部に挿入された端子１０が１次係止位置にある状態にて、先ず、図３３に示すように、上カバー３０Ａの後方側が前方側より上方に傾斜した状態を維持しながら、上カバー３０Ａ（カバー本体３１）の前端縁を、ハウジング２０の天壁部２３の後端縁に向けて近づけ、図３４に示すように、上カバー３０Ａの突起部３４を端子１０の接続部１１の後端に当接させる。
【００４３】
次に、この状態（即ち、上カバー３０Ａが傾斜した状態、且つ、突起部３４が端子１０の接続部１１に当接した状態を維持しながら、上カバー３０Ａの前端縁のテーパ面３３が天壁部２３の後端縁のテーパ面２５の下側に進入するまで（上カバー３０Ａの前端縁と天壁部２３の後端縁とが係合するまで）、上カバー３０Ａをハウジング２０に対して前方側に平行移動させる。このとき、突起部３４の押圧によって端子１０は、上カバー３０Ａの前方側への移動に伴って、１次係止位置から正規挿入位置まで移動する。
【００４４】
次に、上カバー３０Ａの前端縁と天壁部２３の後端縁とが係合した状態を維持しながら、傾斜した状態にある上カバー３０Ａを、上カバー３０Ａの先端側を支点にして、図３５に示すように、上カバー３０Ａの後方側がハウジング２０に近づく向きに回動させる。これにより、上カバー３０Ａの複数の係合部３５と下カバー３０Ｂの複数の係合部３６とが互いに係止されることで、上述した図２０に示すように、ハウジング２０に対して上カバー３０Ａ及び下カバー３０Ｂが組み付けられた状態が得られる。そして、最後に、ハウジング２０から後方側に延びる複数の電線Ｗを、タイバンド等を利用して束ねた状態で電線保持部３８に保持する。これにより、コネクタ１の組み付けが完了する。
【００４５】
図３５に示すように、上カバー３０Ａがハウジング２０に対して組み付けられた状態では、上カバー３０Ａの突起部３４が端子１０の接続部１１の後端面に対面接触、或いは、近接している。このため、端子１０のハウジング２０からの抜け止め機能が発揮される。即ち、端子１０の突出部１４とランス２６と係合に加えて、端子１０の接続部１１と突起部３４との係合により、所謂２重係止の状態が得られる。
【００４６】
なお、上カバー３０Ａは、上述のように、傾斜した状態にある上カバー３０Ａを、上カバー３０Ａの先端側を支点にして回動させることによってのみ、正規の状態でハウジング２０に組み付くように設計されている。仮に、上カバー３０Ａを、ハウジング２０に対して平行に維持した状態で、上方から下方に向けて平行移動させてハウジング２０に組み付けようとしても、上カバー３０Ａの前端縁と天壁部２３の後端縁とが干渉することで、組み付けることができない。
【００４７】
以下、図３６〜図３９を参照しながら、下カバー３０Ｂに一体に設けられた電線保持部３８について述べる。なお、図３９に示すように、電線Ｗは、導体芯線Ｗ１と、導体芯線Ｗ１を覆う被覆Ｗ２と、を備える。
【００４８】
図３６〜図３８に示すように、本例の電線保持部３８は、下カバー３０Ｂの後方側部分３７の後方側端部から後方に一体で延出する矩形平板状の電線束縛部３８ａを有する。電線束縛部３８ａは、複数の電線Ｗをタイバンドを利用して束ねるために利用される。即ち、ハウジング２０から後方に向けて延びる複数の電線Ｗが、電線束縛部３８ａの上下面に沿うように配置され、電線束縛部３８ａ及び複数の電線Ｗの周囲にタイバンドが巻き付けられる。これにより、後方に延びる複数の電線Ｗが、束ねられた状態で電線束縛部３８ａに保持される。
【００４９】
電線束縛部３８ａの上下面（即ち、電線Ｗの被覆Ｗ２が接触する接触面）の各々には、幅方向（即ち、電線Ｗが延びる方向と交差する方向）に沿って、突条３９が複数形成されている（図３８参照）。更に、電線束縛部３８ａに複数の電線Ｗを保持した状態にて電線Ｗと接触する、電線束縛部３８ａの後方側及び前方側に位置する部分３８ｂ及び３８ｃの上下面（接触面）の各々にも、幅方向に沿って、突条３９が複数形成されている（図３８参照）。
【００５０】
このため、電線束縛部３８ａにタイバンドを利用して複数の電線Ｗを束ねて保持する際、電線束縛部３８ａの接触面に接触している電線Ｗの被覆Ｗ２が複数の突条３９に食い込む（図３９参照）。また、部分３８ｂ及び部分３８ｃの接触面に接触している電線Ｗの被覆Ｗ２が複数の突条３９に食い込む。これにより、電線Ｗが細径化され、且つ、電線Ｗの本数が増大したとしても、電線保持部３８の電線保持力を向上させることができる。
【００５１】
更に、複数の突条３９が幅方向（即ち、電線Ｗの延びる方向と交差する方向）に沿って設けられているので、外力等によって電線Ｗが延在方向（後方）に引っ張られた場合においても、電線Ｗの電線保持部３８に対する相対移動を極力抑制できる。
【００５２】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５３】
上記実施形態では、図１、図３６等から明らかなように、電線保持部３８における電線Ｗと接触する接触面（電線束縛部３８ａの上下面、及び、部分３８ｂ，３８ｃの上下面）は、ハウジング２０の端子収容部の延在方向に対して平行となっている。これに対し、図４０に示すように、電線保持部３８における電線Ｗと接触する接触面が、端子収容部の延在方向に対して傾斜していてもよい。これによれば、外力等によって電線Ｗが延在方向（後方）に引っ張られた場合、その引っ張り力の一部が電線Ｗを電線保持部３８の接触面に押し付ける力として作用し得る。この結果、電線Ｗの被覆Ｗ２を複数の突条３９により一層食い込ませることができ、電線Ｗの電線保持部３８に対する相対移動を更に一層抑制できる。
【００５４】
更に、上記実施形態では、ハウジング２０に組み付けられるカバー３０の後方側部分に、コネクタカバーとして機能する後方側部分３７及び電線保持部３８が一体で設けられている。これに対し、カバー３０からコネクタカバーとして機能する後方側部分３７及び電線保持部３８を省略し、図４１及び図４２に示すように、カバー３０とは別に、上記実施形態における後方側部分３７及び電線保持部３８に相当する部分が一体で構成されたコネクタカバー４０が設けられていてもよい。
【００５５】
更に、上記実施形態では、ハウジング２０の端子収容部に挿入された端子１０に電線Ｗを接続した後に、ハウジング２０にカバー３０が組み付けられている。これに対し、ハウジング２０の端子収容部に挿入された端子１０に電線Ｗを接続する前に、ハウジング２０にカバー３０が組み付けられるように構成してもよい。更に、上記実施形態では、１次係止位置にある端子を正規挿入位置まで挿入できるが、端子１０は、中途挿入状態であっても正規挿入位置まで挿入することも可能である。
【００５６】
ここで、上述した本発明に係るコネクタ１、及び、カバー３０の実施形態の特徴をそれぞれ以下［１］〜［３］に簡潔に纏めて列記する。
［１］
複数の電線（Ｗ）に接続された複数の端子（１０）と、
複数の前記端子（１０）を収容する複数の端子収容部を有する板状のハウジング（２０）であって、複数の前記端子収容部の少なくとも一部の上方が開放されたハウジング（２０）と、
前記ハウジング（２０）に組み付けられて、複数の前記端子収容部の前記少なくとも一部の上方を塞ぐカバー（３０）と、
を備え、
前記カバー（３０，３０Ｂ）の後方側端部には、前記ハウジング（２０）から後方側に延出する前記複数の電線（Ｗ）を束ねて保持するための電線保持部（３８）が設けられ、
前記電線保持部（３８）における前記電線（Ｗ）と接触する接触面（３８ａ〜３８ｃ）には、前記電線（Ｗ）が延びる方向と交差する方向に沿って突条（３９）が複数形成された、コネクタ（１）。
［２］
上記［１］に記載のコネクタ（１）において、
前記電線保持部（３８）の前記接触面（３８ａ〜３８ｃ）は、前記端子収容部の延在方向に対して傾斜している、コネクタ（１）。
［３］
複数の電線（Ｗ）に接続された複数の端子（１０）を収容すると共に少なくとも一部の上方が開放された複数の端子収容部を有する板状のハウジング（２０）に組み付けられて、上方が開放された前記端子収容部の少なくとも一部を塞ぐ、カバー（３０）であって、
前記カバー（３０）の後方側端部には、前記ハウジング（２０）から後方側に延出する前記複数の電線（Ｗ）を束ねて保持するための電線保持部（３８）が設けられ、
前記電線保持部（３８）における前記電線（Ｗ）と接触する接触面（３８ａ〜３８ｃ）には、前記電線（Ｗ）が延びる方向と交差する方向に沿って突条（３９）が複数形成された、カバー（３０）。
【符号の説明】
【００５７】
１      コネクタ
１０    端子
２０    ハウジング
３０    カバー
３８    電線保持部
３８ａ〜３８ｃ    接触面
３９    突条
Ｗ      電線
【図１】
2020087674.tif 000003
【図２】
2020087674.tif 000004
【図３】
2020087674.tif 000005
【図４】
2020087674.tif 000006
【図５】
2020087674.tif 000007
【図６】
2020087674.tif 000008
【図７】
2020087674.tif 000009
【図８】
2020087674.tif 000010
【図９】
2020087674.tif 000011
【図１０】
2020087674.tif 000012
【図１１】
2020087674.tif 000013
【図１２】
2020087674.tif 000014
【図１３】
2020087674.tif 000015
【図１４】
2020087674.tif 000016
【図１５】
2020087674.tif 000017
【図１６】
2020087674.tif 000018
【図１７】
2020087674.tif 000019
【図１８】
2020087674.tif 000020
【図１９】
2020087674.tif 000021
【図２０】
2020087674.tif 000022
【図２１】
2020087674.tif 000023
【図２２】
2020087674.tif 000024
【図２３】
2020087674.tif 000025
【図２４】
2020087674.tif 000026
【図２５】
2020087674.tif 000027
【図２６】
2020087674.tif 000028
【図２７】
2020087674.tif 000029
【図２８】
2020087674.tif 000030
【図２９】
2020087674.tif 000031
【図３０】
2020087674.tif 000032
【図３１】
2020087674.tif 000033
【図３２】
2020087674.tif 000034
【図３３】
2020087674.tif 000035
【図３４】
2020087674.tif 000036
【図３５】
2020087674.tif 000037
【図３６】
2020087674.tif 000038
【図３７】
2020087674.tif 000039
【図３８】
2020087674.tif 000040
【図３９】
2020087674.tif 000041
【図４０】
2020087674.tif 000042
【図４１】
2020087674.tif 000043
【図４２】
2020087674.tif 000044